(57)【要約】【課題】目土をスムーズに掬い取り、容器本体内に収納でき、目土の補充が誰でも簡単に確実に迅速に行え、ディボット跡に目土を狙い通りにスムーズに振り出せ、ディボット跡を正確に且つ迅速に目土で埋めることができ、開口部を確実に閉鎖でき、携帯性に優れ、取扱い易く、使い勝手に優れ、構成簡素で、量産に適し、低廉で、経済的で、ゴルフマナーの向上にも役立つゴルフ用目土携帯具を提供する。【解決手段】容器本体Ａとキャップ体Ｂとからなり、キャップ体Ｂは、基体Ｂ１と蓋体Ｂ２とからなり、基体Ｂ１は、基筒部１０と、基筒部１０の周壁の一部を上方に延長して匙形状に形成する突出片１３とを有し、蓋体Ｂ２は、開口部１２を閉鎖可能な蓋基板１５と、連結片１５に連設する開閉操作片１６とを有し、周胴部を掴めるよう形成し、目土を突出片１３で掬い取って容器本体Ａ内に収納できるよう構成する。【選択図】図１
0003151949.tif 000002
【実用新案登録請求の範囲】
【請求項１】
ゴルフ場のターフのディボット跡を修復する目土を収納して携帯できるようにしたゴルフ用目土携帯具であって、上端部に開口部を設けた有底筒状の合成樹脂製容器本体と、この容器本体の上端部に装着されて開口部を塞ぐ合成樹脂製のキャップ体とからなり、キャップ体は、容器本体の上端部に装着されると共に、容器本体の開口部に連通する大きな開口部を備えた基体と、この基体に揺動自在に装着されると共に、基体の開口部を開閉自在な蓋体とからなり、基体は、短筒状の基筒部と、この基筒部の周壁の一部を上方に延長するよう形成されると共に、匙形状となるよう形成される突出片とを有し、蓋体は、基体の開口部を閉鎖可能に形成される蓋基板と、この蓋基板の突出片寄りに連設される開閉操作片とを有し、容器本体の周胴部を手指で掴めるように形成し、ゴルフ場に予め用意されている目土を、突出片で掬い取ると共に、容器本体内にそのまま収納できるよう構成したことを特徴とするゴルフ用目土携帯具。
【請求項２】
容器本体の周胴部に括れ部を形成したことを特徴とする請求項１記載のゴルフ用目土携帯具。
【請求項３】
容器本体の周胴部に伸縮自在な蛇腹部を設けたこと特徴とする請求項１または請求項２記載のゴルフ用目土携帯具。
【請求項４】
容器本体の周胴部を内壁部と少なくとも透明な外壁部とで構成し、外壁部と内壁部の間には、内装シート等を収納可能な空間部を設け、内装シート表面には宣伝広告や、その他の適宜表示を施せるように形成したことを特徴とする請求項１または請求項２または請求項３記載のゴルフ用目土携帯具。
【考案の詳細な説明】
【技術分野】
【０００１】
本考案は、ゴルフ場でのショット時にできるターフのディボット跡を修復する際に利用されるゴルフ用目土携帯具に係り、特に、ゴルフ場のティーグラウンド付近等に予め用意されている目土をスムーズに掬い取ることができると共に、これを収納して携帯でき、また、ディボット跡に目土をスムーズに振り出して、ディボット跡を正確に且つ迅速に目土で埋めることができる使い勝手の優れたゴルフ用目土携帯具に関するものである。
【背景技術】
【０００２】
数あるスポーツの中でゴルフ競技の大きな特徴の一つは、通常審判員が立ち会わない点である。それは、ゴルフがフェアプレーを重視しているスポーツであって、「ゴルファーは皆誠実であり、故意に不正を犯す者はない」ということが基本的な考え方になっているからである。
また、ゴルフゲームは、プレーヤーの一人一人が他のプレーヤーに対しても、心配りをし、ゴルフ規則を守ってプレーするという誠実さに頼っている。
プレーヤーは常にコース上の他のプレーヤー、同伴競技者に心配りをすべきであり、特に、自分で作ったディボット跡は入念に直しておくことが必要である。
そして、従来にあっては、ゴルフ場のティーグラウンド付近等に予め用意されている目土をスコップで掬い取って目土袋に入れて携帯し、ディボット跡を修復するときに、袋内の目土をスコップで掬い出すと共に、ディボット跡に目土を所定量落として埋め、足で平に踏み均すようにすることが一般的に行われている。
【０００３】
そこで、プレーヤーの負担にならず、且つディボット跡の修復を楽しんで行うことができるようにすべく、例えば、特許文献１に示すような携帯型砂散布用容器が提案されるようになった。これは、底部に蓋を有する基部筒体とそれに連通する基部筒体より小径の先端筒体からなり、先端筒体の先端の横方向に頂部を突出させて傾斜させた開口を有するものである。
【先行技術文献】
【特許文献】
【０００４】
【特許文献１】実用新案登録第３０９２４８６号公報
【考案の概要】
【考案が解決しようとする課題】
【０００５】
ところが、前述の如き携帯型砂散布用容器にあっては、以下のような問題点があった。すなわち、底部にある蓋を取り外してから、基部筒体内にスコップで砂を充填しなければならないこと、開口が常時開放状態にあるため、容器が大きく傾いたり、転倒したときに砂が開口から出てしまうこと等の点である。
【０００６】
そこで、本考案は、前述の如き問題点等を解消して、スコップを利用しなくても目土をスムーズに掬い取ることができると共に、これを確実に収納しておけ、また、ディボット跡に目土をスムーズに振り出せて、ディボット跡を正確に且つ迅速に目土で埋めることができ、取扱い易く、使い勝手に優れ、しかも、構成が簡素で、量産に適し、低廉に提供でき、ひいては、ゴルフマナーの向上に役立つゴルフ用目土携帯具を提供できるようにすべく案出されたものである。
【課題を解決するための手段】
【０００７】
しかして、前述の如き課題を達成できるようにすべく、請求項１記載のゴルフ用目土携帯具にあっては、ゴルフ場のターフのディボット跡を修復する目土を収納して携帯できるようにしたゴルフ用目土携帯具であって、上端部に開口部１を設けた有底筒状の合成樹脂製容器本体Ａと、この容器本体Ａの上端部に装着されて開口部１を塞ぐ合成樹脂製のキャップ体Ｂとからなり、キャップ体Ｂは、容器本体Ａの上端部に装着されると共に、容器本体Ａの開口部１に連通する大きな開口部１２を備えた基体Ｂ１と、この基体Ｂ１に揺動自在に装着されると共に、基体Ｂ１の開口部１２を開閉自在な蓋体Ｂ２とからなり、基体Ｂ１は、短筒状の基筒部１０と、この基筒部１０の周壁の一部を上方に延長するよう形成されると共に、匙形状となるよう形成される突出片１３とを有し、蓋体Ｂ２は、基体Ｂ１の開口部１２を閉鎖可能に形成される蓋基板１５と、この蓋基板１５の突出片１３寄りに連設される開閉操作片１６とを有し、容器本体Ａの周胴部を手指で掴めるように形成し、ゴルフ場に予め用意されている目土を、突出片１３で掬い取ると共に、容器本体Ａ内にそのまま収納できるよう構成する手段を採用した。
【０００８】
また、請求項２記載のゴルフ用目土携帯具にあっては、容器本体Ａの周胴部に括れ部３を形成する手段を採用した。
【０００９】
更に、請求項３記載のゴルフ用目土携帯具にあっては、容器本体Ａの周胴部に伸縮自在な蛇腹部４を設ける手段を採用した。
【００１０】
そして、請求項４記載のゴルフ用目土携帯具にあっては、容器本体Ａの周胴部を内壁部６と少なくとも透明な外壁部５とで構成し、外壁部５と内壁部６の間には、内装シート８等を収納可能な空間部７を設け、内装シート８表面には宣伝広告や、その他の適宜表示を施せるように形成する手段を採用した。
【考案の効果】
【００１１】
従って、請求項１記載のゴルフ用目土携帯具によれば、取扱い易く、使い勝手に優れ、しかも、構成が簡素で、量産に適し、低廉に提供でき、経済的で、ひいては、ゴルフマナーの向上にも役立つゴルフ用目土携帯具となる。
特に、スコップを利用しなくても容器本体Ａを手指で掴み、突出片１３で目土をスムーズに掬い取り、目土をそのまま容器本体Ａ内に収納させることができる。すなわち、目土の補充が誰でも簡単に、確実に、且つ迅速に行えるものとなる。
また、基体Ｂ１の開口部１２を閉鎖可能に形成される蓋基板１５を設けたので、開口部１２を確実に閉鎖しておけ、ゴルフ用目土携帯具が大きく傾いたり、転倒したとしても、容器本体Ａ内の目土が開口部１２から出てしまうような虞のない携帯性の優れたものとなる。
更に、基体Ｂ１は、短筒状の基筒部１０と、この基筒部１０の周壁の一部を上方に延長するよう形成されると共に、匙形状となるよう形成される突出片１３とを有しているので、ディボット跡に目土を狙い通りにスムーズに振り出せて、ディボット跡を正確に且つ迅速に目土で埋めることができるようになる。
【００１２】
また、請求項２記載のゴルフ用目土携帯具によれば、ゴルフ用目土携帯具の容器本体Ａの括れ部３部分を手指によってより安定的に且つ確実に掴めるようになる。ひいては、目土を掬い取ったり、目土を振り出したりし易くなる。
【００１３】
更に、請求項３記載のゴルフ用目土携帯具によれば、その不使用時に蛇腹部４を収縮させておき、コンパクトに保管できるようになる。しかも、その使用時には、蛇腹部４を伸長させて、ある程度の量の目土を容器本体Ａに収納しておけるようになる。
【００１４】
そして、請求項４記載のゴルフ用目土携帯具によれば、内装シート８表面に施した宣伝広告や、その他の適宜表示を、外部から視認できるようになり、宣伝効果の優れたものとなると共に、興趣に富むものとなる。
【図面の簡単な説明】
【００１５】
【図１】本考案のゴルフ用目土携帯具を例示する分解斜視図である。
【図２】本考案のゴルフ用目土携帯具を例示する縦断側面図である。
【図３】本考案の他のゴルフ用目土携帯具を例示する一部切欠側面図である。
【図４】本考案の他のゴルフ用目土携帯具を例示する一部切欠側面図である。
【考案を実施するための形態】
【００１６】
以下、本考案を図示例に基づいて説明すると、次の通りである。
本考案は、ゴルフ場のターフのディボット跡を修復する目土を収納して携帯できるようにしたゴルフ用目土携帯具である。
具体的には、上端部に開口部１を設けた有底筒状の合成樹脂製容器本体Ａと、この容器本体Ａの上端部に装着されて開口部１を塞ぐ合成樹脂製のキャップ体Ｂとからなっている。
そして、キャップ体Ｂは、容器本体Ａの上端部に装着されると共に、容器本体Ａの開口部１に連通する大きな開口部１２を備えた基体Ｂ１と、この基体Ｂ１に揺動自在に装着されると共に、基体Ｂ１の開口部１２を開閉自在な蓋体Ｂ２とからなっている。
更に、基体Ｂ１は、短筒状の基筒部１０と、この基筒部１０の周壁の一部を上方に延長するよう形成されると共に、匙形状となるよう形成される突出片１３とを有している。
そして、蓋体Ｂ２は、基体Ｂ１の開口部１２を閉鎖可能に形成される蓋基板１５と、この蓋基板１５の突出片１３寄りに連設される開閉操作片１６とを有している。
それから、容器本体Ａの周胴部を手指で掴めるように形成し、ゴルフ場に予め用意されている目土を、突出片１３で掬い取ると共に、容器本体Ａ内にそのまま収納できるよう構成されている。
【実施例】
【００１７】
前記容器本体Ａは、例えば、適宜合成樹脂材によって、上端部に大きな円形状の開口部１を設けた有底円筒状に形成されており、その上端部分の周壁外周面には、雄ネジ部２が形成されている。
【００１８】
尚、この雄ネジ部２は、後述するキャップ体Ｂを装着する際に、誰でも簡単に着脱自在に装着できる手段として採用されたもので、キャップ体Ｂを着脱自在に装着できるものであれば、他の手段を採用しても良い。
【００１９】
また、容器本体Ａの周胴部は、例えば、その中央部分に括れ部３を形成してあり（図１、図２参照）、手指で容器本体Ａを掴み易くすると共に、安定的に掴めるように形成してある。
【００２０】
更に、容器本体Ａの周胴部は、その下部に蛇腹部４を形成しておき（図３参照）、その不使用時に蛇腹部４を収縮させることで、コンパクトに保管できるように形成しても良い。尚、その使用時には、蛇腹部４を伸長させて、ある程度の量の目土を容器本体Ａに収納できるようにする。
ところで、蛇腹部４は、比較的薄肉状に形成され、スムーズに伸縮するように形成され、この蛇腹部４より上部にある周胴部は、比較的厚肉状に形成され、手指で掴んだときに変形しないように形成される。
【００２１】
そして、容器本体Ａの周胴部は、内壁部６と少なくとも透明な外壁部５とで構成し、外壁部５と内壁部６の間には、内装シート８等を収納可能な空間部７を設けても良い（図４参照）。すなわち、内装シート８表面に宣伝広告や、その他の適宜表示を施せ（例えば、氏名を表示したり、所属団体名を表示したり、綺麗な図柄や写真等を表示したり、その他適宜自由な表示を施すことができる）、これらを透明な外壁部５を介して外部から視認できるように形成される。しかして、宣伝効果に優れ、興趣に富むゴルフ用目土携帯具となる。
また、外壁部５と共に内壁部６も透明にすることにより、内部の目土の量を簡単に視認できるようになり、目土の補充のタイミングを逃さないようになる。
【００２２】
前記キャップ体Ｂは、例えば、適宜合成樹脂材によって形成される基体Ｂ１と、適宜合成樹脂材によって形成される蓋体Ｂ２と、蓋体Ｂ２を基体Ｂ１に揺動自在に連結する金属製のピンによって構成されている。尚、ピンの代わりに適宜合成樹脂製のヒンジによって蓋体Ｂ２が基体Ｂ１に対して揺動自在となるように連結しても良い。
【００２３】
前記基体Ｂ１は、例えば、容器本体Ａの雄ネジ部２部分を覆うような短円筒状の基筒部１０と、この基筒部１０の周壁の一部（例えば、平面から見て１８０度を越えるような範囲の周壁部分）を上方に延長して（例えば、中央部分が一番高く、両端がわに行くに従って漸次低くなるように延長する）、幅広な匙形状となる突出片１３とで構成されている。
そして、基筒部１０の内周表面には、容器本体Ａの雄ネジ部２に螺着可能な雌ネジ部１１が形成されている。
しかも、基筒部１０の上部には、容器本体Ａの開口部１に連通する比較的大きな開口部１２が形成されている。
【００２４】
前記蓋体Ｂ２は、例えば、基体Ｂ１の突出片１３の反対がわに揺動自在に装着されると共に、基体Ｂ１の開口部１２を確実に且つ簡単に閉鎖可能な蓋基板１５と、この蓋基板１５の突出片１３寄りに連設されると共に、上方に立設するように形成され、しかも、手指によって操作し易くなるように形成された開閉操作片１６とからなっている。
ところで、蓋基板１５は、例えば、開口部１２を確実に閉鎖できると共に、その閉鎖状態をある程度維持できるように形成され、不意の外力等によって簡単に開口部１２が開かないように形成したものが良い。また、蓋基板１５は、大きく揺動させて、開口部１２を開口させたときに、その開口位置である程度留まれるように形成したものが良い。すなわち、目土を掬って容器本体Ａ内に補充するときや、容器本体Ａ内の目土を振り出すときに、蓋基板１５が揺動して邪魔しないように形成することが望ましい。
【００２５】
前記開閉操作片１６は、例えば、蓋基板１５によって開口部１２が閉鎖されているときに、その上端部の一部が突出片１３の先端（上端）部分に係脱自在に係止できるように形成され、蓋基板１５による開口部１２の閉鎖状態を維持して、不意の外力等が蓋体Ｂ２に作用しても、蓋基板１５が簡単に揺動して開口部１２が開かないように形成しても良い。
【００２６】
尚、ゴルフ用目土携帯具の具体的構成、形状、寸法、材質、容器本体Ａの具体的構成、形状、寸法、材質、開口部１の具体的構成、形状、寸法、配設位置、雄ネジ部２の具体的構成、形状、寸法、配設位置、括れ部３の具体的構成、形状、寸法、配設位置、数、蛇腹部４の具体的構成、形状、寸法、配設位置、数、外壁部５の具体的構成、形状、寸法、材質、内壁部６の具体的構成、形状、寸法、材質、空間部７の具体的構成、形状、寸法、配設位置、内装シート８の具体的構成、形状、寸法、材質、数、配設位置、キャップ体Ｂの具体的構成、形状、寸法、材質、基体Ｂ１の具体的構成、形状、寸法、材質、蓋体Ｂ２の具体的構成、形状、寸法、材質、配設位置、基筒部１０の具体的構成、形状、寸法、材質、雌ネジ部１１の具体的構成、形状、寸法、配設位置、開口部１２の具体的構成、形状、寸法、数、配設位置、突出片１３の具体的構成、形状、寸法、材質、配設位置、蓋基板１５の具体的構成、形状、寸法、材質、開閉操作片１６の具体的構成、形状、寸法、材質、配設位置等は図示例のもの等に限定されることなく適宜自由に設定、変更できるものである。
ところで、容器本体Ａ或いはキャップ体Ｂには、ストラップ等の取付部を設けておき、ストラップ等を介してゴルフ用目土携帯具をより持ち易くすると共に、ゴルフ用目土携帯具を簡単に掛止させることができるようにしても良い（図示せず）。
【産業上の利用可能性】
【００２７】
しかして、本考案のゴルフ用目土携帯具は、スコップを利用しなくても、突出片１３で目土をスムーズに掬い取り、目土をそのまま容器本体Ａ内に収納させることができる。すなわち、目土の補充が誰でも簡単に、確実に、且つ迅速に行えるようになる。
また、開口部１２を蓋基板１５で確実に閉鎖しておけ、ゴルフ用目土携帯具が大きく傾いたり、転倒したりしても、容器本体Ａ内の目土が開口部１２から出ることがなく、携帯性に優れたものとなる。
更に、ディボット跡に目土を狙い通りにスムーズに振り出せ、ディボット跡を正確に且つ迅速に目土で埋められるようになる。ひいては、ゴルフマナーの向上にも役立つゴルフ用目土携帯具となる。
【符号の説明】
【００２８】
Ａ      容器本体
１      開口部
２      雄ネジ部
３      括れ部
４      蛇腹部
５      外壁部
６      内壁部
７      空間部
８      内装シート
Ｂ      キャップ体
Ｂ１    基体
Ｂ２    蓋体
１０    基筒部
１１    雌ネジ部
１２    開口部
１３    突出片
１５    蓋基板
１６    開閉操作片
【図１】
0003151949.tif 000003
【図２】
0003151949.tif 000004
【図３】
0003151949.tif 000005
【図４】
0003151949.tif 000006